(57)【要約】【課題】食品用容器の蓋体面に印刷した内容物表示を、陳列棚の上下位置に関係なく容易に確認できるようにするため、容器を横立てにし、蓋体表面をほぼ垂直にして正立させる支持台を具えた容器を提供すること。【解決手段】容器本体と蓋体、支持台とからなる食品用容器であって、支持台が廻動反転可能に形成されており、容器を横立てにし、蓋表面をほぼ垂直にして正立させるようにしたことを特徴とする。【選択図】　　　　図１
2004106934.tif 000002
【特許請求の範囲】
【請求項１】
容器本体と蓋体、支持台とからなる食品用容器であって、
支持台が廻動反転可能に形成されており、
容器を横立てにし、蓋表面をほぼ垂直にして正立させるようにしたことを特徴とする食品用容器。
【請求項２】
支持台が、蓋体に延設した支持板にヒンジを介して連設されていることを特徴とする請求項１記載の食品用容器。
【請求項３】
支持台が、容器本体の口部上端のフランジを延設した支持板にヒンジを介して連設されていることを特徴とする請求項１記載の食品用容器。
【請求項４】
支持台が、支持板にヒンジを介して連設された内壁と底壁とを具えており、
支持台の廻動反転時に、内壁が、支持板の裏面に接合し、底壁が、容器本体の胴部周壁に当接するよう形成していることを特徴とする請求項１〜３記載の食品用容器。
【請求項５】
支持台が、支持板にヒンジを介して連設された台板と、台板に連設された内壁と、容器本体の胴部周壁に当接する底壁とを具え、
前記支持板には係止筒が垂設され、台板の下面に、係止筒に係止される係合筒が設けられていることを特徴とする請求項１〜３記載の食品用容器。
【請求項６】
底壁が、支持台の廻動反転時に、容器本体の胴部周壁に接合する面を形成していることを特徴とする請求項１〜５記載の食品用容器。
【発明の詳細な説明】
【０００１】
【発明の属する技術分野】
本発明は、生鮮食品、加工食品、即席食品等の食品用容器、とくに、商品陳列時に、容器を横立てにし、蓋表面をほぼ垂直にして正立させるようにした容器に関する。
【０００２】
【従来の技術】
スーパー等の店頭の陳列棚に展示された食品用容器の蓋に印刷した内容物表示を、外部から容易に確認できるようにするため、容器胴部の横断面を角形として、容器を傾斜状態に維持し展示することは、従来より知られている（例えば、特許文献１参照。）。
【０００３】
【特許文献１】
特開平７−２５７５４１号公報
【０００４】
【発明が解決しようとする課題】
しかしながら、上記従来技術は、容器胴部横断面を角形にするとともに、各面を所要の角度傾斜させることによって、容器の斜め立てを可能としており、横断面円形の容器には適用できないという問題があった。
そのため容器のデザインに大きな制約を受けるという問題も派生した。
【０００５】
上記従来技術は、展示にあたって、容器を上下に積み重ね、一番上の容器を斜め立てして蓋の表示を確認容易にしたり、すべての容器を陳列棚上に斜め立てして並べたりしている。
一番上の容器を斜め立てした場合には、購買者が一番上の容器を購入するために取っていくと、陳列棚には上下に積み重ねられた容器が残り、容器の蓋の表示を上から見なければならず、容易に確認することができなくなるという問題があった。
また、棚上に斜め立てする場合には、人の目線より上の棚では、蓋の表示が簡単に確認できなくなるという問題があった。
【０００６】
また、最近では、表面に内容物表示を印刷した紙箱に、容器の上面を垂直になるように容器を横立てにして収容して包装し、陳列することも、一般に行われるようになっているが、容器とは別に紙箱を製造しなければならず、生産コストが高くなるという問題があった。
【０００７】
本発明は、上記の問題を解決することを課題とし、食品用容器の蓋体面に印刷した内容物表示を、陳列棚の上下位置に関係なく容易に確認できるようにするため、容器を横立てにし、蓋体表面をほぼ垂直にして正立させる支持台を具えた容器を提供することを目的とする。
【０００８】
【課題を解決するための手段】
本発明は、上記の課題を解決するため、食品用容器として、容器本体と蓋体、支持台とからなる食品用容器であって、支持台が廻動反転可能に形成されており、容器を横立てにし、蓋表面をほぼ垂直にして正立させるようにしたことを特徴とする構成を採用する。
【０００９】
支持台の取付態様として、支持台が、蓋体に延設した支持板にヒンジを介して連設されていることを特徴とする構成、または、支持台が、容器本体の口部上端のフランジを延設した支持板にヒンジを介して連設されていることを特徴とする構成を採用する。
【００１０】
支持台の実施態様として、支持台が、支持板にヒンジを介して連設された内壁と底壁とを具えており、支持台の廻動時に、内壁が支持板の下面に接合し、底壁が、容器本体の胴部周壁に当接するよう形成されていることを特徴とする構成を採用し、一つの実施例として、底壁が、支持台の廻動時に、容器本体の胴部周壁に接合する面を形成していることを特徴とする構成を採用する。
【００１１】
支持台に係止部材を設けた実施形態として、支持台が、支持板にヒンジを介して連設された台板と、台板に連設された内壁と、容器本体の胴部周壁に当接する底壁とを具え、前記支持板には係止筒が垂設され、台板の下面に、係止筒に係止される係合筒が設けられていることを特徴とする構成を採用する。
【００１２】
【発明の実施の形態】
次に、本発明の第１実施形態について、図面を参照して説明する。
図１，２において、Ａは容器本体、Ｂは蓋体、Ｃは蓋体Ｂにヒンジを介して連設された容器の支持台である。
容器本体Ａは、広口の口部１と椀状の胴部２と底部３とからなっており、口部１は、上端にはフランジ４が突設されており、下端には、段部５が設けられて胴部２に続いている。
底部３の底面には、台足６が垂設されている。
【００１３】
蓋体Ｂは、頂壁７とシール部８とからなっており、シール部８は、頂壁７の下端から水平に延びる環状板９と、該環状板９の周縁から垂設される周壁１０とを具えており、周壁１０の下端には、内方に膨出し、容器本体Ａのフランジ４の下面に係合する係止部１１が設けられている。
【００１４】
シール部８の一定範囲には、係止部１１の下端から所定の外方向に延びる支持板１２が延設されており、該支持板１２には、容器の支持台Ｃが連設されている。
蓋体Ｂの頂壁７には、内容物を表示する印刷を施したラベルを貼着したり、頂壁に直接印刷を施したりしている。
また、表示の印刷は、後述するシュリンクフィルム等の表面に印刷してもよい。
【００１５】
支持台Ｃは、内壁１５と外壁１６、内壁１５と外壁１６を接続する側壁１７、および底壁１８とからなっており、内壁１５の上端縁と蓋体Ｂの支持板１２とは薄肉部で連設され、ヒンジ１９が形成されている。
支持台Ｃは、ヒンジ１９を軸として廻転可能となっており、廻転反転時には、内壁１５の周面は、支持板１２の裏面、および容器本体Ａの段部５に接合し、底壁１８の底周面は、容器本体Ａの胴部２周面に接合する湾曲面に形成されている。
【００１６】
次に本発明の食品用容器の使用態様と作用効果について説明する。
本食品用容器は、生鮮食品、加工食品、即席食品等の食品用容器として使用される。
ここで、即席食品用容器として用いた実施例について説明する。
食品用容器の成形にあたっては、蓋体Ｂと支持台Ｃとは一体成形され、支持台Ｃは、図２に示すような形状に配列され、支持板１２との連結部は、薄肉部としてヒンジ１９が形成されるよう成形される。
【００１７】
食品の収納にあたって、容器本体Ａには、米飯、麺類、その他の主食品が入れられ、フィルム、アルミ箔等のシール材を口部１のフランジ４上面に接着して、容器内をシールする。
その上に、副食、具、調味料等を入れたパウチを置いて、蓋体Ｂを被せる。
また、支持台Ｃに、その他の具、薬味等の小袋を入れ、上面をフィルム、或は支持台の側壁または外壁の上端にヒンジで連結された蓋材、または別体で成形された蓋材でシールする。
【００１８】
次いで、支持台Ｃをヒンジ１９を軸としてほぼ９０度、それより以上に廻動反転して、底壁１８の底周面を胴部２周面に接合させ、その状態で蓋体Ｂと容器本体Ａは公知のようにシュリンクフィルム等で被覆、包装され、商品として出荷される。
【００１９】
商品の店頭陳列時には、図３に示すように、支持台Ｃによって容器が横立て状態に並べて陳列される。
そのため、水平な陳列棚が上下に多数配列されていても、購買者は、容器の蓋体Ｂを常に正面から見ることができるので、印刷された表示により、内容物を知ることができる。
そして、一番前の商品を購入のため取出した場合にも、次の商品の蓋体Ｂが前面にきて表示を正面から見ることができるので、陳列効果は何ら変わらない。
【００２０】
内容物の飲食時には、容器を平置して包装を解くと、支持台Ｃが、図２の状態に復元し、シールを剥がすことによって具や薬味等の小袋を取り出すことができる。
【００２１】
次いで、従来のように蓋体Ｂを取り、パウチに入っている調味料等を主食品に混ぜて、熱湯を入れて調理したり、電子レンジにより加熱調理することができる。
その際、支持台Ｃのヒンジ１９の薄肉部で切断して支持台Ｃを容易に取りさるようにすることもでき、容器の取扱いを簡便にするとともに、支持板１２を摘み部として蓋体Ｂを取り外せるようにもできる。
【００２２】
上記実施例では、即席食品用容器の使用態様について説明したが、容器に収容する内容物は即席食品に限らず、具、調味料、薬味等が不要な食品の場合には、支持台Ｃを廻動反転させて、容器本体Ａと蓋体Ｂとともにシュリンクフィルム等で包装するだけでよく、陳列時には、容器は横立て状態に並べて陳列される。
【００２３】
次に、支持台を容器本体に連接した第２実施形態について説明する。
図４において、Ａａは容器本体、Ｂａは蓋体、Ｃａは容器本体Ａａに連設された支持台である。
【００２４】
容器本体Ａａは、広口の口部２０と椀状の胴部２１と、底部２２とからなっており、口部２０の上端には、フランジ２３が突設されており、下端には、段部２４が設けられ、胴部２１に続いている。
フランジ２３の一定範囲は、所定の外方向に延びる支持板２５になっており、該支持板２５の端縁には、薄肉部のヒンジ２６を介して支持台Ｃａが連設されている。
【００２５】
支持台Ｃａは、前実施形態と同様に、廻動反転時に、支持板２５の裏面に接合する内壁２７、外壁２８と側壁２９、および廻動反転時に、胴部２１の外周面に接合する湾曲面を底周面とした底壁３０とからなっている。
【００２６】
蓋体Ｂａは、底壁３１と側周壁３２、および側周壁３２の上端縁から突出したフランジ３３とからなっており、被蓋時には、側周壁３２は、容器本体Ａａの口部２０の内周に嵌合し、フランジ３３が口部２０のフランジ２３の上面に接合することによって容器内部をシールして被蓋される。
また、蓋体Ｂａに変え、容器の口部２０のフランジ２３の上面にフィルムを接着させるようにして容器をシールしてもよい。
【００２７】
次に、本実施形態の作用効果について説明する。
本食品用容器は、前実施形態と同様に、容器本体Ａａに内容物を収納して蓋体Ｂａを被蓋し、次いで、支持台Ｃａを廻動反転させて、支持台Ｃａの底壁３０を胴部２１周面に接合させた状態で、シュリンクフィルム等で被覆、包装される。
店頭での商品陳列時の作用効果は、前記第１実施形態と同様である。
【００２８】
次に、支持台の構成を変更した第３実施形態について説明する。
本実施形態は、前記各実施形態において、支持台の構成を変更したもので、以下相違点を中心に説明する。
図５において、Ａｂは容器本体、Ｂｂは蓋体、Ｃｂは蓋体Ｂｂにヒンジを介して連設された支持台である。
【００２９】
第１実施形態と同様に、蓋体Ｂｂには、所定の範囲で外方に延びる支持板４０が延設されており、支持板４０の端縁には、薄肉のヒンジ４１を介して支持台Ｃｂが連設されている。
支持台Ｃｂは、廻転反転時に、支持板４０の裏面に接合する内壁４２、側壁４３と外壁４４、廻転反転時に、容器胴部の一部外周面に当接する底壁４５とを具えており、箱状となっている。
【００３０】
次に、本実施形態の作用効果について説明する。
本食品用容器は、前実施形態と同様に、容器本体Ａｂに内容物を収納して蓋体Ｂｂを被蓋し、次いで、支持台Ｃｂを廻動反転させて、支持台Ｃｂの底壁４５を胴部周面に当接させた状態で、シュリンクフィルム等で被覆、包装される。
店頭での商品陳列時の作用効果は、前記各実施形態のそれと同様である。
【００３１】
上記実施形態では、支持台を箱状とし、底壁を平板状として、底周面を胴部周面にほぼ線接触で当接させるようにしているが、図６に示すように底周面を湾曲面とし、その一部の底周面がほぼ線接触に近い狭い面で、胴部周面に接合するように形成してもよい。
図６において、４１はヒンジ、４２ａは内壁、４３ａは側壁、４４ａは外壁、４５ａは底壁である。
【００３２】
また、支持台の実施例として、前記各実施形態で説明したもの以外に、支持板にヒンジを介して取着した台板と、該台板にＬ字状に連設され、胴部周面に当接する足板の二枚の板からなる支持台の実施例、或いは、廻動反転時に支持板の裏面に接合する板体と、該板体の下端に連設され縦断面をくの字状に屈曲させた台板とからなる支持台の実施例等がある。
【００３３】
さらにまた、支持板にヒンジを介してほぼ半円状、または弓形状の枠板を連設し、該枠板の内周端縁より下方に延び、廻動反転時に、底外周壁が容器胴部に当接する曲面で形成される底壁を前記枠板に連設した支持台の実施例がある。
【００３４】
次に、支持台に対する係止手段を付設した第４実施形態について説明する。
本実施形態は、前記各実施形態における支持板と、支持台の板体との間に相互に係合する係止手段を設けたもので、以下相違点を中心に説明する。
【００３５】
図７，８において、Ａｃは容器本体、Ｂｃは蓋体、Ｃｃは蓋体Ｂｃに連設された支持台である。
前記第１、第３実施形態と同様に、蓋体Ｂｃには、支持板５０が延設されており、支持板５０の端縁には、薄肉のヒンジ５１を介して支持台Ｃｃが連設されている。
支持台５０の下面には、一定の間隔を置いて、有底筒状の係止筒５２が垂設されている。
【００３６】
支持台Ｃｃは、支持板５０にヒンジ５１で接続された台板５３と、台板５３の端縁に続く内壁５４、側壁５５、外壁５６、および廻動反転時に容器胴部の一部外周面に当接する底壁５７とを具えている。
台板５３の下面には、廻動反転時に支持板５０の係止筒５２外周の内側面または外側面に係合されるように、所定の間隔を置いて配設された、有底筒状の係合筒５８が垂設されている。
【００３７】
次に本実施形態の作用効果について説明すると、本食品容器は、容器本体Ａｃに内容物を収納し、蓋体Ｂｃを被蓋した後に、支持台Ｃｃを反転させることによって、底壁５７を、容器胴部の外周面に当接させるとともに、係合筒５８が係止筒５２の間に嵌挿され、支持台Ｃｃの廻動反転状態を維持することができる。
したがって、本実施形態では、シュリンクフィルム等で支持台を含め容器全体を被覆、包装する必要がなくなり、包装コストを下げることができる。
そして、店頭での商品陳列時の作用効果は、前記各実施形態のそれと同様である。
【００３８】
上記実施形態では、支持台は蓋体に設けた支持板に連設しているが、第２実施形態と同様に、容器本体に設けた支持板に連設してもよい。
【００３９】
また、係止部材として、上記実施形態では、係止筒、係合筒を有底筒状としているが、その横断面は、円形の他に、楕円、或いは角形であってもよい。
【００４０】
また、上記実施形態では、支持板に一対の係止筒、台板に一対の係合筒を設け、それぞれの係合筒が対応する係止筒と係合するようにしているが、支持板に短い間隔を置いて二つの係止筒を設け、台板には、前記二つの係止筒の間に嵌挿し、係止される一つの係合筒を設けるようにしてもよい。
【００４１】
また、上記のものとは反対に、支持板に一つの係止筒を設け、台板に前記係止筒を挟持する二つの係合筒を設けるようにしてもよい。
【００４２】
この種の食品用容器は、通常熱成形によって行われ、上記各実施形態、実施例に説明した容器の支持台の形状は、熱成形によるものであるが、本食品用容器は、射出成形によっても成形することができ、その場合、支持台の形状の設計上の自由度は一層大きくなる。
【００４３】
したがって、本発明食品用容器の支持台の形状、係止手段については、上記に説明した以外の容器でも、支持台を容器本体または蓋体に延設した支持板にヒンジを介して廻動反転可能に取付け、シュリンクフイルム等を使用して被覆し、約９０度前後廻動した反転状態を維持し容器を横立てにするもの、或いは係止手段によって反転状態を維持して、容器を横立てにし正立させることができるものであれば、支持台、係止手段の形状については前記各実施形態、実施例に限定されない。
【００４４】
上記各実施形態においては、容器本体と蓋体とを別体としているが、蓋体を支持台の連結部とは異なる位置において、容器本体と蓋体とをヒンジ結合によって一体成形することもできる。
【００４５】
また、前記各実施形態では、容器本体は、横断面円形の椀状の胴部を具えたものであるが、容器本体の胴部は、横断面が四角形、六角形、その他多角形であってもよい。
その際には、支持台底壁の底周面を胴部の形状に合致させ当接させることが望ましいが、支持台の内壁を支持板の裏面に接合させて、フイルム等で被覆、包装すること、或いは係止手段を用いて反転状態を維持できるようにする。
【００４６】
【発明の効果】
本発明は、上記のように構成されているから、次の効果を奏する。
ヒンジによって廻動可能とした支持台を、胴部周壁に接合させるようにしているから、容器を横立てにして、蓋体表面が垂直になるように正立させることができ、陳列棚の位置の上下に係わらず、蓋体面に印刷された内容物表示が常に見えるようになった。
【００４７】
また、支持台を蓋体または容器本体に延設した支持板を介してヒンジ結合するようにしたから、容器の横断面形状が円形その他いかなる形状であっても、容器を横立てさせることができる。
【００４８】
支持台を、蓋体または容器本体と一体成形しているから、支持台の形成が容易であり、生産コストを抑えることができる。
【００４９】
支持板と支持台の台板との間に係止手段を設けた場合には、シュリンクフィルム等で支持台を含め容器全体を被覆、包装する必要がなくなり、包装コストを下げることができる。
【図面の簡単な説明】
【図１】本発明第１実施形態の食品用容器の縦断面図である。
【図２】容器の成形時の説明図で、（ａ）は上面図、（ｂ）は側面図である。
【図３】容器の陳列時の説明図である。
【図４】第２実施形態の食品用容器を説明する縦断面図である。
【図５】第３実施形態の食品用容器を説明する縦断面図である。
【図６】別実施例の食品用容器を説明する縦断面図である。
【図７】第４実施形態の食品用容器を説明する縦断面図である。
【図８】第４実施形態の成形時の説明図で、（ａ）は上面図、（ｂ）は図（ａ）のＡ〜Ｆ線における縦断面図である。
【符号の説明】
Ａ、Ａａ、Ａｂ、Ａｃ　容器本体
Ｂ、Ｂａ、Ｂｂ、Ｂｃ　蓋体
Ｃ、Ｃａ、Ｃｂ、Ｃｃ　支持台
１、２０　　口部
２、２１　　胴部
３、２２　　底部
４、２３　　フランジ
５、２４　　段部
６　　　　　台足
７　　　　　頂壁
８　　　　　シール部
９　　　　　環状板
１０　　　　周壁
１１　　　　係止部
１２、２５、４０、５０　支持板
１５、２７、４２、４２ａ、５４　内壁
１６、２８、４４、４４ａ、５６　外壁
１７、２９、４３、４３ａ、５５　側壁
１８、３０、４５、４５ａ、５７　底壁
１９、２６、４１、５１　ヒンジ
３１　　　　底壁
３２　　　　側周壁
３３　　　　フランジ
５２　　　　係止筒
５３　　　　台板
５８　　　　係合筒
【図１】
2004106934.tif 000003
【図２】
2004106934.tif 000004
【図３】
2004106934.tif 000005
【図４】
2004106934.tif 000006
【図５】
2004106934.tif 000007
【図６】
2004106934.tif 000008
【図７】
2004106934.tif 000009
【図８】
2004106934.tif 000010